(57)【要約】      （修正有）【課題】振り抜けを良くしたアイアンゴルフクラブを提供する。【解決手段】クラブヘッド１０２において打球面を構成するフェース部１０と、クラブヘッド１０２の下端部であるソール部１４と、を接続する領域であるリーディングエッジ部が曲面形状とされ、クラブヘッド１０２とシャフトとの接続領域であるホーゼル部１６と、ソール部１４と、を接続する領域であるヒール部２４が曲面形状とされている。【選択図】図２
0003208767.tif 000002
【実用新案登録請求の範囲】
【請求項１】
クラブヘッドにおいて打球面を構成するフェース部と、クラブヘッドの下端部であるソール部と、を接続する領域であるリーディングエッジ部が曲面形状とされ、
クラブヘッドとシャフトとの接続領域であるホーゼル部と、前記ソール部と、を接続する領域であるヒール部が曲面形状とされていることを特徴とするアイアンゴルフクラブ。
【請求項２】
請求項１に記載のアイアンゴルフクラブであって、
前記ヒール部の曲面形状の曲率半径は３ｍｍ以上であることを特徴とするアイアンゴルフクラブ。
【請求項３】
請求項１又は２に記載のアイアンゴルフクラブであって、
前記ヒール部の曲面形状の曲率半径は、前記リーディングエッジ部の曲面形状の曲率半径の７０％以上であることを特徴とするアイアンゴルフクラブ。
【考案の詳細な説明】
【技術分野】
【０００１】
本考案は、アイアンゴルフクラブに関するものである。
【背景技術】
【０００２】
アイアンゴルフクラブでは、ゴルフボールの飛距離よりも、ゴルフボールをグリーンなどに正確に落下させる正確なショットが重視されている。正確なショットを実現するためには、打球の方向性を安定させることが求められる。打球の方向性を安定させるためにはアイアンゴルフクラブの振り抜けを良くすることが有効である（特許文献１）。
【先行技術文献】
【特許文献】
【０００３】
【特許文献１】特開２０１３−１６１号公報
【考案の概要】
【考案が解決しようとする課題】
【０００４】
ところで、アイアンゴルフクラブにおいてソール部を鋭角に尖らせず、局面上に形成して地面、芝、草等に対するクラブの抜けを良くした構成が知られている。しかしながら、クラブの振り抜けをより良くする構成があればさらに改良が加えられることが好ましい。
【０００５】
本考案は、上記課題を鑑みてなされたものであり、その目的は、振り抜けの良いアイアンゴルフクラブを提供することである。
【課題を解決するための手段】
【０００６】
本考案の１つの態様は、クラブヘッドにおいて打球面を構成するフェース部と、クラブヘッドの下端部であるソール部と、を接続する領域であるリーディングエッジ部が曲面形状とされ、クラブヘッドとシャフトとの接続領域であるホーゼル部と、前記ソール部と、を接続する領域であるヒール部が曲面形状とされていることを特徴とするアイアンゴルフクラブである。
【０００７】
ここで、前記ヒール部の曲面形状の曲率半径は３ｍｍ以上であることが好適である。また、前記ヒール部の曲面形状の曲率半径は、前記リーディングエッジ部の曲面形状の曲率半径の７０％以上であることが好適である。
【考案の効果】
【０００８】
本考案におけるアイアンゴルフクラブによれば、従来のアイアンゴルフクラブよりも振り抜けの良いスイングが可能となる。
【図面の簡単な説明】
【０００９】
【図１】本考案の実施の形態におけるアイアンゴルフクラブの構成を示す全体図である。
【図２】本考案の実施の形態におけるアイアンゴルフクラブのクラブヘッドの構成を示す正面図である。
【図３】本考案の実施の形態におけるアイアンゴルフクラブの構造を示す断面図である。
【図４】本考案の実施の形態におけるアイアンゴルフクラブのヒール部の構造を示す断面図である。
【図５】従来のアイアンゴルフクラブのヒール部の構造を示す断面図である。
【考案を実施するための形態】
【００１０】
本考案の実施の形態におけるアイアンゴルフクラブ１００は、図１に示すように、クラブヘッド１０２、シャフト１０４及びグリップ１０６を含んで構成される。クラブヘッド１０２は、ゴルフボールを打球する部分である。クラブヘッド１０２は、ソケット部１０８を介してシャフト１０４に取り付けられる。シャフト１０４の端部には使用者が握り易くするためにグリップ１０６が設けられる。なお、シャフト１０４及びグリップ１０６は、従来技術を適用してもよい。
【００１１】
クラブヘッド１０２は、たとえばＪＩＳ規格Ｓ２５Ｃを含む素材を用いて作製することができる。また、クラブヘッド１０２の材料としては、ばね鋼、マレージング鋼、ステンレス鋼などが適用され得る。クラブヘッド１０２は、鍛造で製造されていてもよい。また、クラブヘッド１０２にはめっきが施されていてもよい。めっきは、たとえば、Ｎｉ（ニッケル）−Ｃｒ（クロム）めっきであってもよい。
【００１２】
シャフト１０４は、カーボン（グラファイト）や金属（ステンレス鋼）の素材を用いて作製することができる。また、グリップ１０６は、ゴムや合成樹脂等の素材を用いて作製することができる。
【００１３】
クラブヘッド１０２は、図２〜図４に示すように、フェース部１０、バック部１２、ソール部１４、ホーゼル部１６、スコアライン部１８、リーディングエッジ部２０、トウ部２２、ヒール部２４及びトップエッジ部２６を有する。
【００１４】
図２は、本実施の形態に係るアイアンゴルフクラブ１００の正面図を示す。図３は、図２におけるＡ−Ａ断面図を示す。また、図４は、図２におけるＢ−Ｂ断面図を示す。
【００１５】
フェース部１０は平面状である打球面１０ａを備える。打球面１０ａには、複数のスコアライン（溝）１０ｂが形成される。スコアライン部１０ｂは、打球面１０ａに略平行及び略等間隔で形成される。バック部１２は、フェース部１０の打球面１０ａに対して背面側の部分に位置し、その構造によってマッスルバックやキャビティバック等に分類される。
【００１６】
クラブヘッド１０２は、その周囲をソール部１４、ホーゼル部１６、リーディングエッジ部２０、トウ部２２、ヒール部２４及びトップエッジ部２６によって構成されている。
【００１７】
ソール部１４は、フェース部１０とバック部１２とを接続する領域である。ソール部１４は、アイアンゴルフクラブ１００の使用時（設置状態）において側面視及び正面視のいずれにおいても下方に凸状に形成されている。すなわち、ソール部１４は、クラブヘッド１０２の底部を構成する。
【００１８】
ホーゼル部１６は、クラブヘッド１０２とシャフト１０４との接続領域である。リーディングエッジ部２０は、フェース部１０とソール部１４との接続領域である。トウ部２２は、ホーゼル部１６から離れた側のトップエッジ部２６とソール部１４とを接続する領域である。ヒール部２４は、ホーゼル部１６の下端からソール部１４に至る領域である。トップエッジ部２６は、ホーゼル部１６からトウ部２２に至るクラブヘッド１０２の上端縁部を構成する領域である。
【００１９】
クラブヘッド１０２において、図３に示すように、リーディングエッジ部２０は、地面や芝等に対する抜けを良くするために曲面Ｍ１に加工されている。さらに、ホーゼル部１６とソール部１４とを接続するヒール部２４、すなわちホーゼル部１６からソール部１４のリーディングエッジ部２０に繋がる領域２４ａ（図２中、ハッチングで示す領域）の曲面Ｍ２に加工されている。
【００２０】
リーディングエッジ部２０の曲面Ｍ１は、その曲率半径Ｒ１が３ｍｍ以上であることが好適である。曲率半径Ｒ１の上限値は、実用上問題となることのない値であればよいが、例えば５ｍｍ以下とすることが好適である。また、領域２４ａの曲面Ｍ２は、その曲率半径Ｒ２が２ｍｍ以上であることが好適である。曲率半径Ｒ２の上限値は、実用上問題となることのない値であればよいが、例えば５ｍｍ以下とすることが好適である。また、曲率半径Ｒ１の７０％以上であることが好適である。例えば、曲率半径Ｒ１が３ｍｍである場合、曲率半径Ｒ２は２．１ｍｍ以上であることが好適である。
【００２１】
なお、従来のアイアンゴルフクラブでは、図５に示すように、ヒール部３０は曲面加工されておらず、鋭角な形状Ｓとされていた。すなわち、従来のアイアンゴルフクラブでは、ヒール部３０の曲率半径は３ｍｍ未満とされていた。
【００２２】
このように、本実施の形態におけるアイアンゴルフクラブ１００では、クラブヘッド１０２のリーディングエッジ部２０のみならず、ヒール部２４においても曲面Ｍ２に加工された領域２４ａを備える。これによって、アイアンゴルフクラブ１００を使用したときのクラブヘッド１０２の抜けが良くなる。
【００２３】
今回開示された実施の形態および実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることを意図される。
【産業上の利用可能性】
【００２４】
本考案は、アイアンゴルフクラブに特に有利に適用され得る。
【符号の説明】
【００２５】
１０  フェース部、１０ａ  打球面、１０ｂ  スコアライン部、１２  バック部、１４  ソール部、１６  ホーゼル部、１８  スコアライン部、２０  リーディングエッジ部、２２  トウ部、２４  ヒール部、２４ａ  領域、２６  トップエッジ部、３０  ヒール部、１００  アイアンゴルフクラブ、１０２  クラブヘッド、１０４  シャフト、１０６  グリップ、１０８  ソケット部、Ｍ１  曲面、Ｍ２  曲面、Ｒ１  曲率半径、Ｒ２  曲率半径、Ｓ  形状。
【図１】
0003208767.tif 000003
【図２】
0003208767.tif 000004
【図３】
0003208767.tif 000005
【図４】
0003208767.tif 000006
【図５】
0003208767.tif 000007